【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
近位部から遠位部に延びる第1のルーメンを備える経皮液体送達カニューレであって、遠位部が、少なくとも第1のルーメンと流体連通している第1の口を備える、経皮液体送達カニューレと、
経皮液体送達カニューレの第1のルーメンと流体連通している、高反応性求電子試薬を含有する第1のリザーバであって、標的部位でアブレーション熱を局所的に発生させ、かつアブレーション熱の発生後、ある期間、標的部位で局所的な残存酸性環境を提供するように、高反応性求電子試薬の少なくとも一部が第1の口から送達可能である、第1のリザーバと、
経皮液体送達カニューレの遠位部および高反応性求電子試薬の送達をモニターするリアルタイム画像化システムと
を備える、熱化学的アブレーションシステム。
【請求項２】
経皮液体送達カニューレが概して剛性の注射針を備える、請求項1記載のシステム。
【請求項３】
注射針の外径が約0.134インチまたはそれ未満である、請求項2記載のシステム。
【請求項４】
標的部位に元来存在する求核剤と反応させて、経皮液体送達カニューレの遠位部に近い身体組織を切除するのに十分なアブレーション熱を局所的に発生させるように、高反応性求電子試薬が第1の口から送達可能である、請求項1記載のシステム。
【請求項５】
標的部位に元来存在する求核剤が、身体組織内に配置された天然のタンパク質を含む、請求項4記載のシステム。
【請求項６】
経皮送達カニューレの近位部から該カニューレの遠位部に延びる第2のルーメンであって、遠位部が、少なくとも第2のルーメンと流体連通している第2の口を備える、第2のルーメンと、
求核試薬を第2のルーメンを通って経皮液体送達カニューレの遠位部に通すための第2のリザーバであって、第1の口から高反応性求電子試薬を送達する前に、求核試薬の少なくとも一部が第2の口から送達可能である、第2のリザーバと
をさらに備える、請求項1記載のシステム。
【請求項７】
最初に、標的部位を前処理するために求核試薬が第2の口から送達され、その後に、高反応性求電子試薬が第1の口から送達され、その結果、該試薬が標的部位で互いに混合して発熱化学反応を局所的に発生させる、請求項6記載のシステム。
【請求項８】
発熱化学反応によって、経皮液体送達カニューレの遠位部に近い身体組織を切除するのに十分な熱が発生する、請求項7記載のシステム。
【請求項９】
高反応性求電子試薬がカルボン酸無水物またはカルボン酸ハロゲン化物を含む、請求項1記載のシステム。
【請求項１０】
求核試薬が塩基を含む、請求項9記載のシステム。
【請求項１１】
経皮液体送達カニューレが可撓性カテーテルを備える、請求項1記載のシステム。
【請求項１２】
少なくとも2種類の熱化学的アブレーション試薬をカニューレ遠位部に近い標的組織に連続して注入するためのマルチルーメン熱化学的アブレーションカニューレを備える、身体組織を切除する装置であって、
カニューレ遠位部が、第1の熱化学的アブレーション試薬を標的組織に半径方向に分散させて、それによって標的組織を前処理し、その後に、反応してカニューレ遠位部に近い標的組織においてアブレーション熱を局所的に発生させる少なくとも第2の熱化学的アブレーション試薬を半径方向に分散させる、複数の液体口を備える、身体組織を切除する装置。
【請求項１３】
マルチルーメン熱化学的アブレーションカニューレが、求核試薬を送達して標的組織を前処理する第1のルーメンと、その後に高反応性求電子試薬を送達する第2のルーメンとを有するダブルルーメン注射針である、請求項12記載の装置。
【手続補正２】
【補正対象書類名】明細書
【補正対象項目名】０００９
【補正方法】変更
【補正の内容】
【０００９】
本発明の1つまたは複数の態様の詳細を添付の図面および以下の説明に示した。本発明の他の特徴、目的、および利点は、説明および図面ならびに特許請求の範囲から明らかであろう。
[本発明1001]
近位部から遠位部に延びる第1のルーメンを備える経皮液体送達カニューレであって、遠位部が、少なくとも第1のルーメンと流体連通している第1の口を備える、経皮液体送達カニューレと、
経皮液体送達カニューレの第1のルーメンと流体連通している、高反応性求電子試薬を含有する第1のリザーバであって、標的部位でアブレーション熱を局所的に発生させ、かつアブレーション熱の発生後、ある期間、標的部位で局所的な残存酸性環境を提供するように、高反応性求電子試薬の少なくとも一部が第1の口から送達可能である、第1のリザーバと、
経皮液体送達カニューレの遠位部および高反応性求電子試薬の送達をモニターするリアルタイム画像化システムと
を備える、熱化学的アブレーションシステム。
[本発明1002]
経皮液体送達カニューレが概して剛性の注射針を備える、本発明1001のシステム。
[本発明1003]
注射針の外径が約0.134インチまたはそれ未満である、本発明1002のシステム。
[本発明1004]
標的部位に元来存在する求核剤と反応させて、経皮液体送達カニューレの遠位部に近い身体組織を切除するのに十分なアブレーション熱を局所的に発生させるように、高反応性求電子試薬が第1の口から送達可能である、本発明1001のシステム。
[本発明1005]
標的部位に元来存在する求核剤が、身体組織内に配置された天然のタンパク質を含む、本発明1004のシステム。
[本発明1006]
経皮送達カニューレの近位部から該カニューレの遠位部に延びる第2のルーメンであって、遠位部が、少なくとも第2のルーメンと流体連通している第2の口を備える、第2のルーメンと、
求核試薬を第2のルーメンを通って経皮液体送達カニューレの遠位部に通すための第2のリザーバであって、第1の口から高反応性求電子試薬を送達する前に、求核試薬の少なくとも一部が第2の口から送達可能である、第2のリザーバと
をさらに備える、本発明1001のシステム。
[本発明1007]
最初に、標的部位を前処理するために求核試薬が第2の口から送達され、その後に、高反応性求電子試薬が第1の口から送達され、その結果、該試薬が標的部位で互いに混合して発熱化学反応を局所的に発生させる、本発明1006のシステム。
[本発明1008]
発熱化学反応によって、経皮液体送達カニューレの遠位部に近い身体組織を切除するのに十分な熱が発生する、本発明1007のシステム。
[本発明1009]
高反応性求電子試薬がカルボン酸無水物またはカルボン酸ハロゲン化物を含む、本発明1001のシステム。
[本発明1010]
求核試薬が塩基を含む、本発明1009のシステム。
[本発明1011]
経皮液体送達カニューレが可撓性カテーテルを備える、本発明1001のシステム。
[本発明1012]
高反応性求電子試薬を経皮注射針のルーメンを通って標的組織部位に送達する工程、および
送達された求電子試薬を求核剤と標的組織位置で反応させて、標的組織部位でアブレーション熱を局所的に発生させ、かつアブレーション熱の発生後、ある期間、標的組織部位で局所的な残存酸性環境を提供する、工程
を含む、標的組織の熱化学的アブレーションのための方法。
[本発明1013]
高反応性求電子試薬が注射針の1つまたは複数の側口から送達される、本発明1012の方法。
[本発明1014]
高反応性求電子試薬がカルボン酸無水物を含む、本発明1012の方法。
[本発明1015]
高反応性求電子試薬が無水酢酸を含む、本発明1012の方法。
[本発明1016]
高反応性求電子試薬がカルボン酸ハロゲン化物を含む、本発明1012の方法。
[本発明1017]
高反応性求電子試薬がハロゲン化アセチルを含む、本発明1012の方法。
[本発明1018]
高反応性求電子試薬が塩化アセチルを含む、本発明1012の方法。
[本発明1019]
高反応性求電子試薬がスルホン酸(sulfonyl acid)無水物またはスルホン酸ハロゲン化物を含む、本発明1012の方法。
[本発明1020]
高反応性求電子試薬がホスホン酸(phosphonyl acid)無水物またはホスホン酸ハロゲン化物を含む、本発明1012の方法。
[本発明1021]
高反応性求電子試薬が、画像化またはトレースする目的で使用可能な診断用の基をさらに含む、本発明1012の方法。
[本発明1022]
高反応性求電子試薬が1つまたは複数の求電子脱離基種を含む、本発明1012の方法。
[本発明1023]
高反応性求電子試薬が、画像化またはトレースする目的で使用可能な1つまたは複数の診断用脱離基を含む、本発明1012の方法。
[本発明1024]
高反応性求電子試薬を標的組織部位に送達する工程の前に、求核試薬を経皮注射針のルーメンを通って標的組織部位に送達する工程をさらに含む、本発明1012の方法。
[本発明1025]
求核試薬が塩基を含む、本発明1024の方法。
[本発明1026]
求核試薬が、KOH、NaOH、NH4OH、Ca(OH) 2、NaHCO3、K2CO2、BuLi、NaOEtまたはNaSEt、アミン、およびそれらの組み合わせからなる群より選択される塩基を含む、本発明1025の方法。
[本発明1027]
不活性非反応性薬剤を、経皮注射針のルーメンを通って標的組織部位に送達する工程をさらに含む、本発明1012の方法。
[本発明1028]
不活性非反応性薬剤が診断用薬剤を含む、本発明1027の方法。
[本発明1029]
リアルタイム画像化を用いて標的組織部位をモニターする工程をさらに含む、本発明1012の方法。
[本発明1030]
リアルタイム画像化が、CT、超音波、MRI、または他の画像化システムを含む、本発明1028の方法。
[本発明1031]
少なくとも2種類の熱化学的アブレーション試薬をカニューレ遠位部に近い標的組織に連続して注入するためのマルチルーメン熱化学的アブレーションカニューレを備える、身体組織を切除する装置であって、
カニューレ遠位部が、第1の熱化学的アブレーション試薬を標的組織に半径方向に分散させて、それによって標的組織を前処理し、その後に、反応してカニューレ遠位部に近い標的組織においてアブレーション熱を局所的に発生させる少なくとも第2の熱化学的アブレーション試薬を半径方向に分散させる、複数の液体口を備える、身体組織を切除する装置。
[本発明1032]
マルチルーメン熱化学的アブレーションカニューレが、求核試薬を送達して標的組織を前処理する第1のルーメンと、その後に高反応性求電子試薬を送達する第2のルーメンとを有するダブルルーメン注射針である、本発明1031の装置。
[本発明1033]
標的組織領域を切除するために、高反応性求電子試薬を標的組織に送達して、局所領域において熱を発生させる工程
を含む、標的組織の熱化学的アブレーションのための方法。
[本発明1034]
高反応性求電子試薬が無機塩化物または有機塩化物を含む、本発明1033の方法。
[本発明1035]
高反応性求電子試薬が無機酸ハロゲン化物を含む、本発明1033の方法。
[本発明1036]
高反応性求電子試薬が塩化アセチルを含む、本発明1033の方法。
[本発明1037]
高反応性求電子試薬がクロロギ酸エチルを含む、本発明1033の方法。
[本発明1038]
標的組織領域を求核試薬で前処理する工程をさらに含む、本発明1033の方法。
[本発明1039]
求核試薬が無機塩基または有機塩基を含む、本発明1038の方法。
[本発明1040]
求核試薬が水酸化ナトリウムまたは水酸化カリウムを含む、本発明1038の方法。